(57)【要約】    【課題】インストラクターに依存せずに補助を必要とするマシンの利用を効率化して安全なトレーニングを可能とする。    【解決手段】サーバ装置１０の受付部３４で受付端末１２からの利用申込情報を受信した際に、マシン判別部３６で利用者情報データベース４６に登録されている申込利用者のメニューから補助必要マシン２０を利用するか否か判別する。ペア選択部３８は、補助必要マシン２０の利用申込を判別した際に、同一マシンの利用待ちで且つペアを組む相手が決まっていない受付済み利用者の中からレベル及び体格が近いペア相手を選択する。ペア通知部４０は、選択されたペア組合せを受付端末１２及びペア相手の携帯端末１６に通知して表示させる。    【選択図】        図１
2005316827.tif 000002
【特許請求の範囲】
【請求項１】
受付端末からの利用申込情報を受信する受付ステップと、
予め登録されている利用者情報から申込利用者が補助を必要とするマシンを利用するか否か判別するマシン判別ステップと、
補助を必要とするマシンの利用を判別した際に、同一マシンの利用待ちで且つペアを組む相手が決まっていない受付済み利用者の中から所定の条件を満足するペア相手を選択するペア選択ステップと、
選択されたペア組合せを前記受付端末及びペア相手の携帯端末に通知して表示させるペア通知ステップと、
を備えたことを特徴とするスポーツジム管理方法。
【請求項２】
請求項１記載のスポーツジム管理方法において、前記ペア通知ステップは、複数のペア相手が抽出された場合は、ペア相手の全てに通知し、最初にペア組につき同意応答が得られた相手とのペア組合せを確定して前記受付端末及びペア相手の携帯端末に通知することを特徴とするスポーツジム管理方法。
【請求項３】
請求項１記載のスポーツジム管理方法において、前記ペア選択ステップは、申込利用者のマシン利用レベル及び体格の近いペア相手を選択することを特徴とするスポーツジム管理方法。
【請求項４】
コンピュータに、
受付端末からの利用申込情報を受信する受付ステップと、
予め登録されている利用者情報から申込利用者が補助を必要とするマシンを利用するか否か判別するマシン判別ステップと、
補助を必要とするマシンの利用を判別した際に、同一マシンの利用待ちで且つペアを組む相手が決まっていない受付済み利用者の中から所定の条件を満足するペア相手を選択するペア選択ステップと、
選択されたペア組合せを前記受付端末及びペア相手の携帯端末に通知して表示させるペア通知ステップと、を実行させることを特徴とするプログラム。
【請求項５】
受付端末からの利用申込情報を受信する受付部と、
予め登録されている利用者情報から申込利用者が補助を必要とするマシンを利用するか否か判別するマシン判別部と、
補助を必要とするマシンの利用を判別した際に、同一マシンの利用待ちで且つペアを組む相手が決まっていない受付済み利用者の中から所定の条件を満足するペア相手を抽出するペア抽出部と、
選択されたペア組合せを前記受付端末及びペア相手の携帯端末に通知して表示させるペア通知部と、
を備えたことを特徴とするスポーツジム管理装置。
【発明の詳細な説明】
【技術分野】
【０００１】
本発明は、会員制のスポーツジムでマシンの利用を管理するスポーツジム管理方法及び装置に関し、特に、ベンチプレス等の補助を必要とするマシンの利用を管理するスポーツジム管理方法、プログラム及び装置に関する。
【背景技術】
【０００２】
従来、会員登録している利用者がスポーツジムで筋力強化のためウエイトトレーニングを行う場合、通常、ベンチプレスのバーが落下する等の危険を伴うため、利用者は、インストラクターの補助を受ける。またウェートトレーニングはインターバル時間をとりながらメニューに従った回数のトレーニングを行っている。
【０００３】
このようなスポーツジムにあっては、コンピュータを利用した効率的な管理方法が考えられており、登録会員にＩＣカードを発行し、スポーツジムを利用する際には、受付端末にＩＣカードを入れて利用申込みを行い、利用申込に対し利用者情報データベースから利用者のトレーニングメニューを取得し、メニューに登録されているマシンの使用状況を調べ、空いていれば利用許可を通知し、使用中であれば申込順に利用待ちとして登録して空きを待つようにしている。
【０００４】
また補助を必要とするベンチプレス等のマシンがメニューに含まれていた場合には、インストラクターに補助を要求し、インストラクターが補助可能となって初めてマシンを利用できるようにしている。
【特許文献１】特開２００３−１２２８７４号公報
【発明の開示】
【発明が解決しようとする課題】
【０００５】
しかしながら、このような従来のスポーツジムの管理方法にあっては、スポーツジムのインストラクターは人数が少ないため、実際は補助なしでトレーニングを行うケースがほとんどである。このため、バー落下による事故が発生することがままあった。
【０００６】
またウエイトトレーニングのインターバル時間は、マシンを利用していないにもかかわらず、他の利用者がマシンを使用できなかった。たまたま、利用者同志が知り合いの場合はペアを組み、一方のインターバルに他方がトレーニングする方法が行われるが、偶然に期待した方法であるため効率化には至らなかった。
【０００７】
また利用者同士でペアを組んで補助を必要とするマシンでトレーニングする場合、レベルや体格の違う利用者同志がペアになると、交代毎にウエイトやベンチの調整が必要となり、時間を取られ限られた利用時間が無駄になる問題があった。このような利用実態は、ジム側にとっても器具やスタジオの利用を最大限にできないため、利用者の獲得数が制約され、スポーツジムの運用利益を圧迫するという問題があった。
【０００８】
本発明は、インストラクターに依存せずに補助を必要とするマシンの利用を効率化して安全なトレーニングを可能とするスポーツジム管理方法、プログラム及び装置を提供することを目的とする。
【課題を解決するための手段】
【０００９】
本発明は、スポーツジム管理方法を提供するものであり、
受付端末からの利用申込情報を受信する受付ステップと、
予め登録されている利用者情報から申込利用者が補助を必要とするマシンを利用するか否か判別するマシン判別ステップと、
補助を必要とするマシンの利用を判別した際に、同一マシンの利用待ちで且つペアを組む相手が決まっていない受付済み利用者の中から所定の条件を満足するペア相手を選択するペア選択ステップと、
選択されたペア組合せを受付端末及びペア相手の携帯端末に通知して表示するペア通知ステップと、
を備えたことを特徴とする。
【００１０】
ここでペア通知ステップは、複数のペア相手が選択された場合は、ペア相手の全てに通知し、最初にペア組につき同意応答が得られた相手とのペア組合せを確定して受付端末及びペア相手の携帯端末に通知する。また受付ステップは、受付登録が完了した際に、申込利用者に貸与される通信機能付きの携帯端末と申込利用者の個人情報とのリンク情報を登録して通信接続可能とする。
【００１１】
またペア選択ステップは、申込利用者のマシン利用レベル及び体格の近いペア相手を選択する。ペア選択ステップは、ペア相手が選択されなかった際には申込順に受付登録のみを行ってペア選択待ちとする。
【００１２】
また、補助を必要とするマシンの単独利用要求を受けた際に、インストラクターの携帯端末にマシン利用許可を要求し、許可応答を受信して要求元の携帯端末にマシン利用許可を通知する単独利用許可ステップを設けたことを特徴とする。
【００１３】
更に、補助を必要とするマシンの単独利用要求を受けた際に、補助を必要とするマシン近傍のマシンを使用中の利用者でペア経験のある利用者の携帯端末にサポート依頼情報を通知し、サポート受諾応答を受信して要求元の携帯端末にマシン利用許可を通知する単独利用許可ステップを設けるようにしても良い。
【００１４】
本発明はスポーツジムのコンピュータで実行される管理用のプログラムを提供する。本発明のプログラムは、コンピュータに、
受付端末からの利用申込情報を受信する受付ステップと、
予め登録されている利用者情報から申込利用者が補助を必要とするマシンを利用するか否か判別するマシン判別ステップと、
補助を必要とするマシンの利用を判別した際に、同一マシンの利用待ちで且つペアを組む相手が決まっていない受付済み利用者の中から所定の条件を満足するペア相手を選択するペア選択ステップと、
選択されたペア組合せを受付端末及びペア相手の携帯端末に通知して表示させるペア通知ステップと、
を実行させることを特徴とする。
【００１５】
本発明はスポーツジム管理装置を提供する。本発明のスポーツジム管理装置は、受付端末からの利用申込情報を受信する受付部と、予め登録されている利用者情報から申込利用者が補助を必要とするマシンを利用するか否か判別するマシン判別部と、補助を必要とするマシンの利用を判別した際に、同一マシンの利用待ちで且つペアを組む相手が決まっていない受付済み利用者の中から所定の条件を満足するペア相手を選択するペア選択部と、選択されたペア組合せを受付端末及びペア相手の携帯端末に通知して表示させるペア通知部とを備えたことを特徴とする。
【００１６】
なお、ジム管理用のプログラム及びスポーツジム管理装置の詳細は、スポーツジム管理方法と基本的に同じになる。
【発明の効果】
【００１７】
本発明によれば、受付端末を使用してエントリーしている利用者同士でペアを組ませて補助を必要とするマシンの利用許可することができ、補助を必要とするマシンを単独で利用することで発生する事故を未然に防ぐことができる。
【００１８】
また利用者のペアを決める際に、補助を必要とするマシンの利用レベル及び体格の近い利用者同士をペアとしており、このためペアを組んだ利用者がインターバル時間をとりながら交代でマシンを利用する場合、レベルと体格が近いためマシンの設定調整にそれほど時間をかけることなく交代でマシンを利用することができ、ウエイトトレーニングのインターバル時間を有効に利用できるので、マシンの利用効率をアップでき、利用者の待ち時間短縮が可能である。
【００１９】
また、補助を必要とするマシンを単独で利用する場合でも、インストラクターの利用許可もしくは近くのマシンを利用している補助スキルのある利用者のサポート承諾が得られているため、万一事故が発生しても即対応可能である。
【発明を実施するための最良の形態】
【００２０】
図１は本発明によるスポーツジム管理のためのシステム構成のブロック図である。図１において、本発明のスポーツジム管理システムはサーバ装置１０を有し、サーバ装置１０に対し受付端末１２、インストラクター端末１４、携帯端末１６、集中表示装置１８、更にトレーニング用のマシンとして補助必要マシン２０と通常のマシン２２が設置されている。この例では、補助必要マシン２２はマシン名ａ１１の一台であり、他は補助を必要としないマシンである。
【００２１】
サーバ装置１０には通信制御部２４とアプリケーションプログラムとして機能するスポーツジム管理部２６が設けられている。スポーツジム管理部２６にはペア抽出処理部２８、補助必要マシン利用処理部３０及び補助必要マシン単独利用処理部３２の各機能がプログラムにより実現されている。
【００２２】
スポーツジム管理部２６に対しては、データベースとしてマシン管理情報データベース４２、マシン利用情報データベース４４、利用者情報データベース４６及び補助必要マシン管理情報データベース４８が設けられている。
【００２３】
スポーツジム管理部２６に設けているペア抽出処理部２８には受付部３４、マシン判別部３６、ペア選択部３８及びペア通知部４０の機能が設けられている。受付部３４は受付端末１２に対し登録会員がＩＣカードを認識させて、エントリーした際の利用申込情報を認識する。
【００２４】
この利用申込の際にはＩＣカードの認識により利用者ＩＤ、パスワードなどが受信され、受付部３４は利用者情報データベース４６に登録されている会員情報との参照により照合を行い、照合一致が得られた時に、利用申込の受付登録すなわちエントリー登録を行なう。
【００２５】
マシン判別部３６は補助を必要とするマシンの利用を利用者情報データベース４６の利用履歴、具体的には利用者が予め登録しているトレーニングのメニューを参照することで補助を必要とするマシンを利用するか否かを判別する。
【００２６】
ペア選択部３８はエントリーしている利用者について補助を必要とするマシンの利用を判別した際に、同一マシンの利用待ちでかつペアを組む相手が決まっていない受付済み、すなわちエントリー済みの利用者の中から所定の条件を満足するペア相手を選択する。
【００２７】
ペア通知部４０はペア選択部３８で選択されたペア相手を受付端末１２上に表示して申込利用者に知らせると共に選択されたペア相手がもっている携帯端末にペア相手となる申込利用者を通知して知らせる。
【００２８】
なお、受付端末１２によるエントリーが済むと、受付済み利用者に対し携帯端末１６が渡される。携帯端末１６を利用者に渡す際には、受付部３４は、申込利用者に渡す携帯端末１６と申込利用者の個人情報とのリンク情報を登録して通信接続可能とする。
【００２９】
ここでペア選択部３８により選択された相手がひとりであった場合には、ペア相手の同意を得ることでペア組合せを確定し、受付端末１２およびペア相手の携帯端末１６に通知する。これに対しペア選択部３８で複数のペア相手が選択された場合には、全てのペア相手の携帯端末１６に対し通知を行ない、最初に同意応答が得られた相手との間でペア組合せを確定して、受付端末１２及びペア相手の携帯端末１６に通知する。
【００３０】
補助必要マシン利用処理部３０はペア抽出処理部２８によるペア組合せが決まった後に補助必要マシン２０の空き状態を監視しており、補助必要マシン２０に空きが生ずるとエントリー順に利用者に利用開始を通知し、予め決められた一定の時間内にマシンの利用を開始することをうながす。
【００３１】
またこの実施形態にあっては補助必要マシン２０にはマシンロック２５が設けられており、補助必要マシンの利用許可を出した際には該当するマシンのマシンロック２５をサーバ装置１０からの制御でレリーズするようにしている。
【００３２】
補助必要マシン単独利用処理部３２はペア相手が決まらないまま補助必要マシンの利用待ちとなっている利用者から単独エントリーの要求があった際に、インストラクターに単独利用を通知してその許可を受けてマシンを利用するか、あるいは補助必要マシンの近傍に配置しているマシンを使用中の利用者でペア経験のある利用者の携帯端末にサポートを依頼し、サポート承諾が得られた時に補助必要マシン単独使用を許可するようになる。
【００３３】
図２は、図１のスポーツジム管理システムが適用されるスポーツジムにおけるマシンレイアウトの説明図である。図２において、このスポーツジムにはマシン名ａ１１をもつ補助必要マシン２０が１台設置されており、それ以外のマシン２２は補助を必要としないマシンである。
【００３４】
また補助必要マシン２０及びマシン２２のマシン名ａ１１，ｃ１１，ａ４１に示す「ａａａ」「ｂｂｂ」「ｃｃｃ」は利用者名であり、現在、補助必要マシンは使用中にある。
【００３５】
図３（Ａ）はベンチ型ベンチプレスマシンを示し、また図３（Ｂ）に水平型ベンチプレスマシンを示す。これら補助を必要とするベンチ型ベンチプレスマシンにつき、本発明にあってはレベルと体格の近い利用者同士がペアを組むことにより利用することになる。
【００３６】
図４は、図１のマシン管理情報データベース４２の説明図である。マシン管理情報データベース４２には、トレーニング部位、マシン、補助要否、更に単独利用の際にサポート依頼を通知するマシンが登録されている。ここで補助を必要とするマシンは「ベンチ型／ａ１１」であり、補助を必要とするマシンに単独使用する際にサポートを依頼するマシンは、図２のように、その周囲に配置しているマシン名ａ２１，ａ４１，ｃ１１の利用者となる。
【００３７】
図５は、図１の利用者情報データベース４６の説明図である。利用者情報データベース４６には利用者名、身長、レベル、マシン利用履歴としてのメニューが登録されている。このメニューの中のマシン名について補助を必要とするマシン名は「ａ１１」であり、補助を必要とするマシン名「ａ１１」をメニューに持つ利用者がエントリーした際にペア抽出処理部２８により利用者同士でペアを組むための処理が実行されることになる。
【００３８】
図６は、図１の補助必要マシン管理情報データベース４８の説明図である。図６（Ａ）は現時点における補助必要マシン管理情報データベース４８の登録内容であり、エントリー順利用者名、補助必要マシン利用状況、ペア利用者名を登録している。尚、図６（Ｂ）は図６（Ａ）に続いて利用者「ｅｅｅ」がその後にエントリーした場合であり、図６（Ｃ）は続いて利用者「ｄｄｄ」が利用した場合の登録内容である。
【００３９】
図７は、図１のマシン利用情報データベース４４の説明図である。マシン利用情報データベース４４には現在利用中の利用情報が登録されている。即ちマシン利用情報データベース４４にはトレーニングの部位、マシン情報及び利用者が登録されている。この例ではトレーニング部位である大胸筋について「ベンチ型／ａ１１」のマシンについて現在利用者「ｇｇｇ／ｅｅｅ」のペアが利用中であることを表している。
【００４０】
図８は、本発明におけるペア抽出処理のフローチャートである。図８において、ペア抽出処理はステップＳ１で受付端末１２に対し利用者がＩＣカードを認識させることによる受付操作に伴う利用者のエントリーイベント情報を受信する。
【００４１】
受付端末１２から利用者のエントリーイベント情報を受信すると、ステップＳ２で利用者情報データベース４６を参照し、エントリー利用者のメニューに補助必要マシンがあるか否かチェックする。ここで例えば受付端末１２より利用者「ｅｅｅ」がエントリーしたとすると、図５の利用者情報データベース４６を参照し、利用者名「ｅｅｅ」のメニューから補助必要マシン「ａ１１」が得られ、これによって補助必要マシンがあることが判別される。
【００４２】
補助必要マシンがメニューにあることは判別されるとステップＳ３に進み補助必要マシンの利用待ちでかつペア候補が未定の利用者がいるか否か、補助必要マシン管理情報データベース４８を参照して判断する。ここで利用者「ｅｅｅ」がエントリーした際の補助必要マシン管理情報データベース４８は図６（Ａ）の内容であり、補助必要マシンａ１１について５人の利用者がエントリーしており、そのうちペアが決定していない利用者は「ｇｇｇ」，「ａａａ」，「ｈｈｈ」の３人である。
【００４３】
このようにペア待ちの利用者がいた場合にはステップＳ４に進み、ペア候補の利用者の身長はエントリー利用者の身長の±５ｃｍ以内かチェックする。ここでエントリー利用者「ｅｅｅ」は図５の利用者情報データベース４６から身長１８０ｃｍであり、これに対しペア候補となった利用者「ｇｇｇ」の身長は１８２ｃｍ、利用者「ａａａ」の身長は１６７ｃｍ、更に利用者「ｈｈｈ」の身長は１７３ｃｍであることから、エントリー利用者「ｅｅｅ」に対し身長差が±５ｃｍ以内となるペア候補として利用者「ｇｇｇ」が判別される。
【００４４】
続いてステップＳ５に進み、ペア候補のレベルはエントリー利用者のレベルの±１０ｋｇ以内かどうかチェックする。エントリー利用者「ｅｅｅ」のレベルは図５の利用者情報データベース４６から１１０ｋｇであり、一方、ステップＳ４で選択されたペア候補の利用者「ｇｇｇ」のレベルは１００ｋｇであり、±１０ｋｇ以内の条件を満足することからペア候補として利用者「ｇｇｇ」が選択される。
【００４５】
続いてステップＳ６でペア相手である利用者「ｇｇｇ」の携帯端末にペア相手としてエントリー利用者「ｅｅｅ」を通知してペアを組むかどうかの同意を求める。携帯端末に通知を受けたペア相手の利用者「ｇｇｇ」から同意応答がステップＳ７で判別されると、ステップＳ８に進みエントリー利用者「ｅｅｅ」と利用者「ｇｇｇ」とのペアを決定し、補助必要マシン管理情報データベース４８に図６（Ｂ）のようにエントリー順の利用者名「ｅｅｅ」及びペア同士のペア利用者名を追加して更新する。
【００４６】
即ち図６（Ｂ）の補助必要マシン管理情報データベース４８は新たにエントリーした利用者名「ｅｅｅ」の登録をペア利用者名「ｇｇｇ」と共に行い、既にエントリーしている利用者名「ｇｇｇ」についてはペア利用者「ｅｅｅ」を登録する。
【００４７】
一方、ステップＳ３でペア待ちの利用者がいなかったり、ステップＳ４で身長±５ｃｍ以内のペア候補がいなかったり、ステップＳ５でレベル±１０ｋｇ以内のペア候補がいなかったり、さらにステップＳ７でペア相手の同意応答が得られなかった場合には、ステップＳ９に進み、補助必要マシン管理情報データベース４８にエントリー利用者のエントリー順次利用者名を追加して更新する。
【００４８】
図９は図８のペア抽出処理で表示される受付端末及び携帯端末の画面説明図である。図９（Ａ）は図８のステップＳ８で受付端末１２に表示される表示内容であり、「エントリーを受付ます。ペアは○○さんです。」との表示を行なう。
【００４９】
また図９（Ｂ）は図８ステップＳ８のペア決定でエントリー済みの利用者が携帯している携帯端末１６に対して行なう表示内容であり「ペアが決まりました。○○さんです。」を表示する。さらに図９（Ｃ）はエントリーの際にペアが決まらなかった場合に受付端末１２に表示される内容であり「エントリーを受付ました。ペアが決まり次第通知します。」となる。
【００５０】
図１０は、本発明による補助必要マシン利用処理のフローチャートである。図１０において、補助必要マシン利用処理は、ステップＳ１で補助必要マシンａ１１が空いているか否かチェックし、空いている場合にはステップＳ２で補助必要マシン管理情報データベース４８を参照して利用待ちの利用者がいるか否かチェックする。
【００５１】
利用待ちの利用者がいた場合にはステップＳ３に進み、エントリー順に利用待ちの利用者にマシンの利用開始を通知する。この場合の利用開始の通知は図１１（Ａ）の携帯端末１６の画面に示すように「マシンａ１１のトレーニングを開始してください。（ペアは○○さんです。）」に加え、「□分以内にマシンエントリーがない場合にはキャンセルとなります。」として利用開始を促すメッセージを追加している。
【００５２】
続いてステップＳ４で一定時間以内にマシンが通知した利用者による利用イベントを受信すると、ステップＳ５でマシンロック２５をレリーズして利用可能とする。一方、一定時間以内に利用イベントが受信されない場合にはステップＳ６に進み、マシンの利用予定者に対し利用許可のキャンセル通知を行なう。このキャンセル通知は図１１（Ｂ）のように携帯端末１６に「マシンａ１１の利用許可をキャンセルしました。再度、順番がまわってくるまでお待ちください。」との表示を行なう。
【００５３】
続いてステップＳ７で補助必要マシン管理情報データベース４８を参照して次の待ち利用者がいるか否かチェックし、待ち利用者がいればステップＳ３に戻り、いなければ処理を終了し、次の処理タイミングから同様の処理を繰り返す。
【００５４】
尚、ステップＳ３でエントリー順に利用待ちの利用者に通知する際に、ペアが決まってない利用者であった場合には、その利用者に対する通知に補助必要マシンの単独利用をエントリーするか否かの問い合わせを行い、単独エントリーの要求があった場合、図１２の補助必要マシン単独利用処理を実行することになる。
【００５５】
図１２は、本発明による補助必要マシン単独利用処理のフローチャートである。図１２において、補助必要マシン単独利用処理にあっては、ステップＳ１でペア未定で補助必要マシンを利用待ちの利用者から利用エントリーがあるか否かチェックしており、利用エントリーがあるとステップＳ２に進み、周辺の補助必要マシンに利用者がエントリーしているか否か判別する。
【００５６】
例えば図２のジムレイアウトに示したように補助必要マシン２０のマシン名ａ１１で利用者「ａａａ」が単独使用する場合には、その周囲に設置しているマシン名ｃ１１，ａ４１，ａ２１のマシン２２に利用者がエントリーしているか否かチェックする。図２の場合にはマシン名ｃ１１に利用者「ｂｂｂ」がエントリーしており、またマシン名ａ４１に利用者「ｃｃｃ」がエントリーしている。
【００５７】
続いてステップＳ３で補助必要マシンの周辺の利用者にサポートの可否を問合せる。サポートの可否を問合せる利用者としては補助必要マシンａ１１の利用経験のある利用者に限る。図１３は図１２のステップＳ３で補助必要マシンの周辺の利用者に対するサポート依頼通知を表示した携帯端末１６の画面であり、例えば「マシンａ１１利用者のサポートが可能ですか？」を表示し、イエスとノーの応答ボタンを表示する。通知を受けた利用者はサポート可能であればイエスボタンをクリックし、サポートできない場合にはノーボタンをクリックする。
【００５８】
ステップＳ３のサポートの問合せ通知に対し、ステップＳ４で利用者からサポート可能の応答があればステップＳ５に進み、利用エントリー者に利用許可を通知し、ステップＳ６で補助必要マシンａ１１のマシンロックをレリーズして使用可能とする。
【００５９】
ステップＳ４でサポート可能の応答が得られなかった場合にはステップＳ７に進み、インストラクターに補助必要マシンの単独利用に対するサポート依頼を通知し、ステップＳ８でインストラクターの利用許可を受信すれば、ステップＳ５で利用エントリー者に利用許可を通知し、ステップＳ６でマシンロックをレリーズする。ステップＳ７におけるインストラクターへのサポート通知はステップＳ２でサポート必要周辺マシンにエントリーしている利用者がいない場合にも同様にして行なわれる。
【００６０】
尚、上記の実施形態にあっては補助を必要とするマシンの利用許可を出した際にマシンに設けられているマシンロックをレリーズする場合を例にとるものであったが、マシンロックをもたないマシンであってもよく、この場合にはマシンロックのレリーズは不要となる。
【００６１】
また上記の実施形態にあってはエントリー利用者が補助を必要とするマシンを利用する場合にペア相手の利用者を抽出し、ペア相手が決まった場合に受付端末とペア先の携帯端末に結果を通知するようにしているが、図１のシステムにあってはエントリーの済んだ利用者がマシン利用を待っている場所に設置されている集中表示装置１８にペア組合せ結果やマシンの利用許可を表示してもよい。
【００６２】
また本発明はその目的と利点を損なわない適宜の変形を含み、更に上記の実施形態に示した数値による限定は受けない。
ここで本発明の特徴を列挙すると次の付記のようになる。
【００６３】
（付記）
（付記１）
受付端末からの利用申込情報を受信する受付ステップと、
予め登録されている利用者情報から申込利用者が補助を必要とするマシンを利用するか否か判別するマシン判別ステップと、
補助を必要とするマシンの利用を判別した際に、同一マシンの利用待ちで且つペアを組む相手が決まっていない受付済み利用者の中から所定の条件を満足するペア相手を選択するペア選択ステップと、
選択されたペア組合せを前記受付端末及びペア相手の携帯端末に通知して表示させるペア通知ステップと、
を備えたことを特徴とするスポーツジム管理方法。（１）
【００６４】
（付記２）
付記１記載のスポーツジム管理方法において、前記ペア通知ステップは、複数のペア相手が抽出された場合は、ペア相手の全てに通知し、最初にペア組につき同意応答が得られた相手とのペア組合せを確定して前記受付端末及びペア相手の携帯端末に通知することを特徴とするスポーツジム管理方法。（２）
【００６５】
（付記３）
付記１記載のスポーツジム管理方法において、前記受付ステップは、受付登録が完了した際に、申込利用者に貸与される通信機能付きの携帯端末と申込利用者の個人情報とのリンク情報を登録して通信接続可能とすることを特徴とするスポーツジム管理方法。
【００６６】
（付記４）
付記１記載のスポーツジム管理方法において、前記ペア選択ステップは、申込利用者のマシン利用レベル及び体格の近いペア相手を選択することを特徴とするスポーツジム管理方法。（３）
【００６７】
（付記５）
付記１記載のスポーツジム管理方法において、前記ペア選択ステップは、ペア相手が選択されなかった際には申込順に受付登録のみを行ってペア選択待ちとすることを特徴とするスポーツジム管理方法。
【００６８】
（付記６）
付記１記載のスポーツジム管理方法において、更に、補助を必要とするマシンの単独利用要求を受けた際に、インストラクターの携帯端末にマシン利用許可を要求し、許可応答を受信して要求元の携帯端末にマシン利用許可を通知する単独利用許可ステップを設けたことを特徴とするスポーツジム管理方法。
【００６９】
（付記７）
付記１記載のスポーツジム管理方法において、更に、補助を必要とするマシンの単独利用要求を受けた際に、補助を必要とするマシン近傍のマシンを使用中の利用者でペア経験のある利用者の携帯端末にサポート依頼情報を通知し、サポート受諾応答を受信して要求元の携帯端末にマシン利用許可を通知する単独利用許可ステップを設けたことを特徴とするスポーツジム管理方法。
【００７０】
（付記８）
コンピュータに、
受付端末からの利用申込情報を受信する受付ステップと、
予め登録されている利用者情報から申込利用者が補助を必要とするマシンを利用するか否か判別するマシン判別ステップと、
補助を必要とするマシンの利用を判別した際に、同一マシンの利用待ちで且つペアを組む相手が決まっていない受付済み利用者の中から所定の条件を満足するペア相手を選択するペア選択ステップと、
選択されたペア組合せを前記受付端末及びペア相手の携帯端末に通知して表示させるペア通知ステップと、を実行させることを特徴とするプログラム。（４）
【００７１】
（付記９）
受付端末からの利用申込情報を受信する受付部と、
予め登録されている利用者情報から申込利用者が補助を必要とするマシンを利用するか否か判別するマシン判別部と、
補助を必要とするマシンの利用を判別した際に、同一マシンの利用待ちで且つペアを組む相手が決まっていない受付済み利用者の中から所定の条件を満足するペア相手を抽出するペア抽出部と、
選択されたペア組合せを前記受付端末及びペア相手の携帯端末に通知して表示させるペア通知部と、
を備えたことを特徴とするスポーツジム管理装置。（５）
【図面の簡単な説明】
【００７２】
【図１】本発明のシステム構成のブロック図
【図２】スポーツジムにおけるマシンレイアウトの説明図
【図３】本発明で管理するベンチプレスマシンの説明図
【図４】図１のマシン管理情報データベースの説明図
【図５】図１の利用者情報データベースの説明図
【図６】図１の補助必要マシン管理情報データベースの説明図
【図７】図１のマシン利用理情報データベースの説明図
【図８】本発明によるペア抽出処理のフローチャート
【図９】図８の処理で表示される受付端末及び携帯端末の画面の説明図
【図１０】本発明による補助必要マシン利用処理のフローチャート
【図１１】図１０の処理で表示される携帯端末画面の説明図
【図１２】本発明による補助必要マシン単独利用処理のフローチャート
【図１３】図１２の処理で表示される携帯端末画面の説明図
【符号の説明】
【００７３】
１０：サーバ装置
１２：受付端末
１４：インストラクター端末
１６： 携帯端末
１８：集中表示装置
２０：補助必要マシン
２２：マシン
２４：通信制御部
２５：マシンロック
２６：スポーツジム管理部
２８：ペア抽出処理部
３０：補助必要マシン利用処理部
３２：補助必要マシン単独利用処理部
３４：受付部
３６：マシン判別部
３８：ペア選択部
４０：ペア通知部
４２：マシン管理情報データベース
４４：マシン利用情報データベース
４６：利用者情報データベース
４８：補助必要マシン管理情報データベース
【図１】
2005316827.tif 000003
【図２】
2005316827.tif 000004
【図３】
2005316827.tif 000005
【図４】
2005316827.tif 000006
【図５】
2005316827.tif 000007
【図６】
2005316827.tif 000008
【図７】
2005316827.tif 000009
【図８】
2005316827.tif 000010
【図９】
2005316827.tif 000011
【図１０】
2005316827.tif 000012
【図１１】
2005316827.tif 000013
【図１２】
2005316827.tif 000014
【図１３】
2005316827.tif 000015